(57)【要約】【課題】  挟み変えを不要とする自動しおりが、葉書としても使用することが出来て、葉書としての使用後に印象深く、宣伝効果が一層大きくなるようにした。【解決手段】    書籍６の頁７、７間に挟まれる本体部２、本体部２の上縁の付近に形成され使用状態で頁７上縁から頁７外に出ている連結部３、連結部３の先端に設けられ、使用状態では下縁部分４ａが頁７に挟まれ、頁７を繰るに伴い次の頁７、７間にこの下縁部分４ａが自動的に挟み変えられるしおり部４とを有して、本体部２、連結部３、しおり部４を互いに一体に結合すべく、これら各部の裏面へ引き剥がし容易に貼付けられて、書き込み可能な紙質で形成された葉書部５を持つ。【選択図】      図１
2006341579.tif 000002
【特許請求の範囲】
【請求項１】
使用時では書籍６の頁７、７間に挟まれる本体部２と、本体部２の上縁の付近に形成され、かつ、上記使用状態で頁７上縁から頁外に出ている連結部３と、連結部３の先端に設けられ、上記使用状態では下縁部分４ａが頁７に挟まれ、頁７を繰るに伴い次の頁７、７間にこの下縁部分４ａが自動的に挟み変えられるように形成されたしおり部４とを有している自動しおりにおいて、本体部２、連結部３、しおり部４を互いに一体に結合すべく、これら各部の裏面へ、引き剥がし容易に貼付けられて、書き込み可能な紙質で形成されている葉書部５を有していることを特徴とするしおり機能を持つ葉書。
【請求項２】
本体部２の少なくとも葉書部５が貼り付けられていない表面側に、絵、書、宣伝広告のための文や絵の如き、伝達媒体９が表示されていることを特徴とする請求項１のしおり機能を持つ葉書。
【請求項３】
本体部２の葉書部５が貼り付けられていない表面側は、書き込み可能な紙質で形成されていることを特徴とする請求項１のしおり機能を持つ葉書。
【発明の詳細な説明】
【技術分野】
【０００１】  この発明は、通常の葉書として送付することができ、送付を受けた者は、挟み変え不要なしおりとして使用できるように工夫されたしおり機能を持つ葉書に関する。
【背景技術】
【０００２】  従来技術としての技術文献は、次のものがある。
【技術文献１】
実用新案第３０５１２５０号
【技術文献２】
特開２００４−３３０７５４
【０００３】  読書を中断する際、挟み変えを不要とするいわゆる自動しおりとして、従来、上記技術文献１及び２がある。これらのしおりは、しおりの本体である保持部の上部に、しおり部、弾性撓み部を設けたものである。
読書の際は、保持部を書籍に挟み込んだままとし、書籍の頁を繰るに伴い、繰られた頁の上縁部分をしおり部の下縁が滑り、弾性撓み部の弾性によってしおり部を見開き頁に自動的に案内する仕組みとなっている。
このため、読書中断に際して書籍を閉じれば、今までの見開き頁に常にしおり部が挟み込まれていて、挟み変えが不要で読書の再開に便利となっている。
【発明の開示】
【発明が解決しようとする課題】
【０００４】  しおりは、読書中断後に読書を再開する際、使用者の目に触れやすいものである。
従って、例えば知人から便りの葉書として送付を受けた後に、しおりとして使用することが出来るならば、使用者にとって印象深いものとなる。
或は、商品や事業の広告、宣伝の媒体の葉書として送付された後に、しおりとして長く使用されれば、宣伝効果は一層大きいものとなる。
このような観点から見ると、上記技術文献１及び２のしおりは、しおりの本体である保持部の上部に、しおり部、弾性撓み部を設けた自動しおりであって、葉書として使用することは出来ない。
この発明は、上記挟み変えを不要としている自動しおりが、葉書としても使用することが出来るように工夫して、葉書としての使用後にしおりとして使用されることにより、印象深く、或は、宣伝効果が一層大きくなるようにした、しおり機能を持つ葉書を提供することを目的としている。
【課題を解決するための手段】
【０００５】  上記課題を解決するためこの発明は、使用時では書籍６の頁７、７間に挟まれる本体部２と、本体部２の上縁の付近に形成され、かつ、上記使用状態で頁７上縁から頁７外に出ている連結部３と、連結部３の先端に設けられ、上記使用状態では下縁部分４ａが頁７に挟まれ、頁７を繰るに伴い次の頁７、７間にこの下縁部分４ａが自動的に挟み変えられるように形成されたしおり部４とを有している自動しおりにおいて、本体部２、連結部３、しおり部４を互いに一体に結合すべく、これら各部の裏面へ、引き剥がし容易に貼り付けられて、書き込み可能な紙質で形成されている葉書部５を有していることを特徴とするしおり機能を持つ葉書である。【０００６】  そして、本体部２の少なくとも葉書部５が貼り付けられていない表面側に、絵、書、宣伝広告のための文や絵の如き、伝達媒体９が表示されていることが望ましい。【０００７】  また、本体部２の葉書部５が貼り付けられていない表面側は、書き込み可能な紙質で形成されていることが望ましい。
【発明の効果】
【０００８】  請求項１の発明によれば、本体部２、連結部３、しおり部４の裏面に形成されている葉書部５に、宛名、差出入、通信文など、通信に必要な書き込みを行って、通常の葉書として支障なく使用できる。
そして、葉書として受け取った後は、本体部２、連結部３、しおり部４の裏面から葉書部５を容易に引き剥すことが出来る。この引き剥がしにより、連結部３としおり部４は、連結部３の基部のみ結合したまま，本体部２から分離してしおり１となる。
そこで、本体部２を書籍６の頁７に挟み、連結部３を頁７上縁から頁７外に出してしおり部４の下縁部分４ａが頁７に挟まれるようにすれば、直ちに自動しおりとして使用できる。【０００９】  請求項２の発明によれば、本体部２の少なくとも葉書部５が貼り付けられていない表面側に、絵、書、宣伝広告のための文や絵の如き、伝達媒体９が表示されているので、絵や書などにより、しおりとして繰り返し使用されて、使用者にとって印象深いものとなる。
宣伝広告のための文や絵の如き伝達媒体９は、しおりとして繰り返し使用されるので、使用者に対して大きい宣伝効果を発揮することになる。【００１０】  請求項３の発明では、本体部２の少なくとも葉書部５が貼り付けられていない表面側は、書き込み可能な紙質であるため、この表面側に便りの葉書としての通信文を書き込んでおけば、送付を受けた者にとってしおりとして使用されて一層印象深いものとなる。
【発明を実施するための最良の形態】
【００１１】  以下、この発明を実施するための最良の形態を図に基づき説明する。
図１はこの発明の一実施の形態に係るしおり機能を持つ葉書の正面（表面）図、図２はその裏面図、図３は図１のＡ矢視図、図４は書籍にしおりとして使用している状態を示した斜視図である。【００１２】  しおり１は、本体部２、連結部３、しおり部４と、本体部２、連結部３、しおり部４を互いに一体に結合すべく、上記各部の裏面へ、引き剥がし容易に貼り付けられている葉書部５とからなる。【００１３】  本体部２は、図４のように書籍６の頁７、７間に挟まれるものである。
連結部３は、その基部が本体部２に結合されたままで本体部２の上縁の付近に形成され、図４の使用状態で頁７の上縁から頁７の外に出ているように形成されている。
しおり部４は、連結部３の先端に設けられ、下方へ突出する下縁部分４ａを持っている。
下縁部分４ａは、図４の使用状態では頁７、７間に挟まれていて、頁７を繰るに伴い、この下縁部分４ａが頁７の上縁を滑って次の頁７、７間に入り込み、これにより自動的に挟み変えられるように、連結部３としおり部４は、適宜な弾力を備えている。【００１４】  葉書部５は、官製はがきとして規定された大きさの縦長長方形であり、ボールペンのような筆記具にて書込みできる紙質とし、図２のように郵便番号記載枠を予め印刷しておく。【００１５】  連結部３としおり部４の形成の一例として図示例では、葉書部５と同一寸法のプラスチック板に、製作上の便宜のため、切り込み線８を入れることにより、本体部２の上縁に、本体部２に基部が結合した連結部３と、連結部３の先端部分にしおり部４とを形成している。
これにより図示例のものは、本体部２、連結部３、しおり部４を合体した大きさが、葉書部５と同一になっている。
なお、図示は省略したが、切り込み線８に代えて、幅のある切り込み溝としてもよい。【００１６】  本体部２の非貼り付け面（表面）側には、図１のように絵、書、宣伝広告のための文や絵の如き、伝達媒体９が表示されている。
図示は省略したが、本体部２の貼り付け面（裏面）側にも、上記非貼り付け面と同様に、絵、書、宣伝広告のための文や絵の如き、伝達媒体９が表示することが望ましい。これにより、しおりとして使用されるとき、本体部２の表面と裏面の夫々に表示されている伝達媒体９が、一層深い感銘を与えることになる。【００１７】  本体部２の表面に表示されている伝達媒体９として図１の例では、風景画が印刷されている。そのほか、伝達媒体９として、美術絵画、百人一首とその読み人の絵姿、或は、広告宣伝文など、様様なものが表示できる。【００１８】  或は、本体部２の表面は、ボールペンのような筆記具にて書き込みできるようにした紙質で白紙のままとしておいて、この表面側に便りの葉書としての通信文を書き込むことにより、送付を受けた者にとってしおりとして使用されて一層印象深いものとなる。【００１９】  次に、上記この発明の一実施の形態に係るしおり機能を持つ葉書を、しおりとして使用する方法について、図４により説明する。
葉書として受け取った後に、本体部２、連結部３、しおり部４の裏面から葉書部５を引き剥せば、本体部２から連結部３としおり部４は分離して、しおり１となる。【００２０】  そこで、本体部２を書籍６の表紙１０と頁７とで挟み、或は、書籍６の裏表紙１１と頁７とで挟み、連結部３を頁７上縁から頁７外に出してしおり部４の下縁部分４ａが、頁７に挟まれるようにする。これにより、現在の見開き頁にはしおり部４が挟みこまれることになる。【００２１】  この状態で頁７を繰ると、繰られた頁７の移動に伴い、しおり部４や連結部３の弾性によってしおり部４が繰られた頁７の上縁部分の上方に上がり、頁７が通過した後、しおり部４は下方へ下がってその下縁部分４ａは自動的に次の頁７に挿入されることになる。
【図面の簡単な説明】
【００２２】
【図１】  図１はこの発明の一実施の形態に係るしおり機能を持つ葉書の正面図である。
【図２】  図２は図１の裏面図である。
【図３】  図３は図１のＡ矢視図である。
【図４】  図４は書籍にしおりとして使用している状態を示した斜視図である。
【符号の説明】
【００２３】      １    しおり
３    連結部
４    しおり部
４ａ  下縁部分
５    葉書部
６    書籍
７    頁
９    伝達媒体
【図１】
2006341579.tif 000003
【図２】
2006341579.tif 000004
【図３】
2006341579.tif 000005
【図４】
2006341579.tif 000006